(57)【要約】【課題】食品の保存及び熟成が可能な冷蔵庫を提供する。【解決手段】冷却器１０への冷媒の供給を停止又は低減しつつ、ファン１１を駆動して冷却器１０に付着した水分から生成した加湿空気を第１貯蔵室３ｃ及び第２貯蔵室３の少なくとも一方へ供給する加湿運転を実行する冷蔵庫において、加湿運転の実行中に第２貯蔵室３より第１貯蔵室３ｃに優先して加湿空気を供給するように切替手段３０を制御することで、第１貯蔵室３ｃの温度及び湿度を所定範囲に維持し、第１貯蔵室３ｃ内の食品を熟成させる熟成運転を実行する。【選択図】        図１
2020169747.tif 000002
【特許請求の範囲】
【請求項１】
冷蔵庫本体と、
前記冷蔵庫本体の内部に設けられた第１貯蔵室及び第２貯蔵室と、
圧縮機と、前記圧縮機から吐出される冷媒が供給され空気を冷却する冷却器と、を有する冷凍サイクルと、
前記冷却器で冷却された空気を前記第１貯蔵室及び第２貯蔵室へ送風するファンと、
前記ファンから前記第１貯蔵室及び前記第２貯蔵室に送風される空気量を制御する切替手段と、
前記冷凍サイクル、前記ファン及び前記切替手段を制御する制御部とを備え、
前記制御部は、前記冷却器への冷媒の供給を停止又は低減しつつ、前記ファンを駆動して前記冷却器に付着した水分から生成した加湿空気を前記第１貯蔵室及び前記第２貯蔵室の少なくとも一方へ供給する加湿運転を実行する冷蔵庫において、
前記制御部は、前記加湿運転の実行中に前記第２貯蔵室より前記第１貯蔵室に優先して加湿空気を供給するように前記切替手段を制御することで、前記第１貯蔵室の温度及び湿度を所定範囲に維持し、前記第１貯蔵室内の食品を熟成させる熟成運転を実行する冷蔵庫。
【請求項２】
前記ファンから前記第１貯蔵室へ供給する空気を除菌する除菌手段を備える請求項１に記載の冷蔵庫。
【請求項３】
前記第１貯蔵室内を除菌する光を照射する照射装置を備える請求項１又は２に記載の冷蔵庫。
【請求項４】
前記熟成運転の実行可能な時間を設定する設定手段を備える請求項１〜３のいずれか１項に記載の冷蔵庫。
【請求項５】
前記第１貯蔵室内の食品の熟成度合いを判定する熟成判定手段を備え、
前記熟成判定手段において検出された熟成度合いが所定条件を満たすと使用者に報知する報知手段を備える請求項１〜４のいずれか１項に記載の冷蔵庫。
【請求項６】
前記熟成判定手段は、前記第１貯蔵室内のにおいの強さを検知するにおいセンサを備え、前記においセンサの検出結果から前記第１貯蔵室内の食品の熟成度合いを検出する請求項５に記載の冷蔵庫。
【請求項７】
前記熟成判定手段は、前記第１貯蔵室内を撮像する撮像手段を備え、前記撮像手段の撮像結果から前記第１貯蔵室内の食品の熟成度合いを検出する請求項５又は６に記載の冷蔵庫。
【請求項８】
前記熟成判定手段は、使用者が前記第１貯蔵室に収納された食品を入力する第１モードと、前記撮像手段の撮像結果から前記第１貯蔵室に収納された食品を特定する第２モードとを備え、
前記第１モードと前記第２モードとで食品の熟成度合いを検出する処理が異なる請求項７に記載の冷蔵庫。
【請求項９】
前記熟成判定手段は、前記第１貯蔵室内のにおいの強さを検知するにおいセンサと、前記第１貯蔵室内を撮像する撮像手段と、を備え、
前記においセンサが前記撮像手段より前記第１貯蔵室における空気流れ方向の下流側に配置されている請求項５〜８のいずれか１項に記載の冷蔵庫。
【発明の詳細な説明】
【技術分野】
【０００１】
本発明の実施形態は、冷蔵庫に関するものである。
【背景技術】
【０００２】
従来、食肉や果物などの食品を熟成する冷蔵庫が提案されている。しかし、このような冷蔵庫は大型の業務用の装置であり、一般家庭での比較的少量の食品を熟成するためにこれを使用することは実際的でない。
【０００３】
家庭用の冷蔵庫では、食品の保存性能の向上について種々検討されているが、食品を熟成することについて考慮されていない。
【先行技術文献】
【特許文献】
【０００４】
【特許文献１】特開２００７−６８２０号公報
【発明の概要】
【発明が解決しようとする課題】
【０００５】
本発明は、上記事情を考慮してなされたものであり、食品の保存及び熟成が可能な冷蔵庫を提供することを目的とする。
【課題を解決するための手段】
【０００６】
一実施形態の冷蔵庫は、冷蔵庫本体と、前記冷蔵庫本体の内部に設けられた第１貯蔵室及び第２貯蔵室と、圧縮機と、前記圧縮機から吐出される冷媒が供給され空気を冷却する冷却器と、を有する冷凍サイクルと、前記冷却器で冷却された空気を前記第１貯蔵室及び第２貯蔵室へ送風するファンと、前記ファンから前記第１貯蔵室及び前記第２貯蔵室に送風される空気量を制御する切替手段と、前記冷凍サイクル、前記ファン及び前記切替手段とを制御する制御部とを備え、前記制御部は、前記冷却器への冷媒の供給を停止しつつ、前記ファンを駆動して前記冷却器に付着した霜を融解して生成した水分を前記第１貯蔵室及び前記第２貯蔵室の少なくとも一方へ供給する加湿運転を実行する冷蔵庫において、前記制御部は、前記加湿運転の実行中に前記第２貯蔵室より前記第１貯蔵室に優先して水分を供給するように前記切替手段を制御することで、前記第１貯蔵室の温度及び湿度を所定範囲に維持し、前記第１貯蔵室内の食品を熟成させる熟成運転を実行するものである。
【図面の簡単な説明】
【０００７】
【図１】本発明の一実施形態の冷蔵庫の断面図
【図２】図１の要部拡大図
【図３】除菌装置の断面図
【図４】図１の冷蔵庫の制御構成を示すブロック図
【図５】食品の種類に対応して記憶された色度の比率と色差の一例を示す図
【図６】撮像手段に基づく食品の熟成度合いの検出する制御を示すフロー図
【図７】本発明の変更例１の冷蔵庫の要部を示す断面図
【発明を実施するための形態】
【０００８】
以下、本発明の一実施形態の冷蔵庫１について図面に基づき説明する。
【０００９】
（１）冷蔵庫１の構成
図１に示すように、冷蔵庫１は、前面に開口する断熱箱体からなる冷蔵庫本体２を備える。冷蔵庫本体２は鋼板製の外箱と真空成形により設けられる合成樹脂製の内箱との間隙に真空断熱パネルやウレタンフォームなどの断熱材を配置し、前面を開口し内部を貯蔵空間とした縦長の断熱箱体からなる。冷蔵庫本体２の内部に形成された貯蔵空間は、断熱仕切壁２ａによって上方の冷蔵空間と下方の冷凍空間に断熱区画されている。
【００１０】
冷蔵空間は、内部がさらに仕切板２ｂによって上下に区画され、仕切板２ｂの上方に複数段の棚板３ｂを設けた冷蔵室３が設けられ、仕切板２ｂの下方に引出式の収納容器を配置する野菜室４が設けられている。
【００１１】
冷蔵室３及び野菜室４は、冷蔵温度帯（例えば、０〜４℃）に冷却される貯蔵室である。冷蔵室３の前面開口部は、該開口部を幅方向に区分する観音開き式の左右一対の断熱性の冷蔵室扉３ａにより閉塞される。この冷蔵室扉３ａは、冷蔵庫本体の左右両側に設けたヒンジにより回動自在に枢支されている。冷蔵室扉３ａの前面には、使用者から冷蔵庫１の設定等を受け付けたり、冷蔵庫１の設定状況等を表示する操作表示部７が設けられている。
【００１２】
冷蔵室３の内部は、複数の棚板３ｂによって上下に複数段に区画されている。最下段の棚板３ｂの下方空間は、上下に重ねて設けられた上容器４０及び下容器４１を収納するチルド室３ｃが設けられており、冷蔵室３内に設けられた小貯蔵室を構成する。このチルド室３ｃは、後述する熟成モードの実行中に食品の熟成を行う熟成空間となる。
【００１３】
冷蔵室３の背面には、冷蔵室３の庫内温度を測定するための冷蔵温度センサ２３が設けられ、チルド室３ｃの背面には、チルド室３ｃの庫内温度を測定するためのチルド温度センサ２４が設けられている。また、冷蔵室３の前面開口部の周縁部には、冷蔵室扉３ａの開閉を検知する扉センサ９が設けられている。
【００１４】
野菜室４の前面開口部は、引出し式の野菜室扉４ａにより閉塞されている。野菜室扉４ａの庫内側には、貯蔵容器を保持する左右一対の支持枠が固着され、開扉動作とともに貯蔵容器が庫外に引き出されるように構成されている。
【００１５】
断熱仕切壁２ａの下方の冷凍空間は、冷凍温度帯（例えば、−１８℃〜−２０℃）に冷却保持される空間であり、製氷室、第１冷凍室５と、第２冷凍室６とを備える。製氷室及び第１冷凍室５は、断熱仕切壁２ａを介して野菜室４の下方に左右に並べて設けられている。製氷室及び第１冷凍室５の下方には、下部ケースと上部ケースを備えた第２冷凍室６が配置されている。
【００１６】
製氷室、第１冷凍室５及び第２冷凍室６の開口部は、野菜室４と同様、引き出し式の扉５ａ，６ａにより閉塞されている。
【００１７】
また、第２冷凍室６の背面には、第２冷凍室６の庫内温度を測定するための冷凍温度センサ２５が設けられている。
【００１８】
チルド室３ｃ及び野菜室４の後部には、エバカバー１２で前後に仕切られた冷蔵冷却器室１３が設けられている。冷蔵冷却器室１３には、冷蔵冷却器１０、冷蔵ファン１１及び除菌装置５０等が収納されている。冷蔵冷却器室１３は、開度制御が可能なダンパ３０を介して冷蔵室３の背面に設けられた背面ダクト１４が接続されている。エバカバー１２にはチルド室３ｃに設けられた上容器４０の上面開口部より上方位置に開口する吹出口１２ａが設けられ、背面ダクト１４には冷蔵室３の背面に開口する吹出口１４ａが上下方向に間隔をあけて設けられている。
【００１９】
冷蔵冷却器１０は、冷蔵冷却器室１３の空気を冷却して、例えば、−１０〜−２０℃の冷気を生成する。
【００２０】
図１及び図２に示すようなダンパ３０が背面ダクト１４への流路を開放した状態で冷蔵ファン１１が回転すると、冷蔵冷却器室１３で生成された冷気は、背面ダクト１４を介して吹出口１４ａから冷蔵室３に供給されるとともに、エバカバー１２に設けられた吹出口１２ａからチルド室３ｃに供給される。この時、ダンパ３０が開度を調整することで、冷蔵室３及びチルド室３ｃに供給する空気量を調整する。
【００２１】
また、ダンパ３０が背面ダクト１４への流路を閉塞した状態で冷蔵ファン１１が回転すると、冷蔵冷却器室１３で生成された冷気は、吹出口１４ａから冷蔵室３に供給されることなく、吹出口１２ａからチルド室３ｃのみに供給される。
【００２２】
つまり、ダンパ３０は、背面ダクト１４への開度を調整することで、冷蔵室３及びチルド室３ｃに供給する空気量を調整する切換手段として機能する。
【００２３】
冷凍空間に設けられた貯蔵室（製氷室、第１冷凍室５、第２冷凍室６）の背部には、ダクト１８を形成するカバー体１７によって冷凍温度帯の貯蔵室と区画された冷凍冷却器室１９が設けられている。
【００２４】
冷凍冷却器室１９の内部には、冷蔵冷却器１０より低い温度に冷却される冷凍冷却器１５と冷凍ファン１６等が設けられている。冷凍冷却器室１９に設けられた冷凍ファン１６は、冷凍冷却器１５で冷却した冷凍冷却器室１９内の空気をダクト１８を介して製氷室、第１冷凍室５及び第２冷凍室６に供給することで、製氷室、第１冷凍室５及び第２冷凍室６を冷却する。
【００２５】
冷蔵冷却器１０及び冷凍冷却器１５は、冷蔵庫本体２の背面下部に設けられた機械室２０内に収納された圧縮機２１や不図示の凝縮器とともに冷凍サイクルを構成する。冷凍サイクルは、圧縮機２１から吐出された冷媒が切替弁２２（図４参照）によって冷蔵冷却器１０及び冷凍冷却器１５の一方に供給されることで、冷蔵冷却器１０及び冷凍冷却器１５をそれぞれ交互に所定温度に冷却する。冷蔵冷却器１０には、冷蔵冷却器１０の温度を検出する冷蔵冷却器センサ２６が設けられ、冷凍冷却器１５には、冷凍冷却器１５の温度を検出する冷凍冷却器センサ２７が設けられている。
【００２６】
また、冷蔵庫本体２の外側、例えば、冷蔵庫本体２の天井壁の上面後部には、冷蔵庫１を制御するマイコン等を実装した制御基板からなる制御部２８が設けられている。
【００２７】
（２）チルド室３ｃの構造
チルド室３ｃの構造について、図２に基づいて説明する。
【００２８】
最下段の棚板３ｂとその下方に設けられた仕切板２ｂとで冷蔵室３内に区画された空間には、幅方向一方側に寄せて不図示の製氷タンクを収納するタンク室が区画され、幅方向他方側に上下に重ねて設けられた上容器４０及び下容器４１を収納するチルド室３ｃが区画されている。
【００２９】
最下段の棚板３ｂは、チルド室３ｃの天井壁を構成し、その前端部にヒンジによって回動自在に設けられた蓋体４２が吊り下げられている。
【００３０】
上容器４０は、平面形状が略矩形状の上面に開口する合成樹脂製の容器からなり、上面に食品などの貯蔵物を出し入れする開口部（取出口）が設けられ、上容器４０内部に貯蔵物を収納する収納空間が形成されている。上容器４０の底面前部には、下容器４１と連通する通気口４３が設けられている。
【００３１】
上容器４０は、図１に示すようなチルド室３ｃに収納された状態において、上容器４０の前壁と最下段の棚板３ｂとの間に形成された開口が蓋体４２によって閉塞され、上容器４０の上面開口部が棚板３ｂによって閉塞されている。チルド室３ｃに収納された上容器４０を前方へ引き出すと、蓋体４２を前方へ回動させながら棚板３ｂの前方へ上容器４０が移動し、上容器４０の上面開口部が開放され貯蔵物を出し入れできるようになる。
【００３２】
上容器４０の後方には、エバカバー１２に設けられた吹出口１２ａが開口している。この例では、吹出口１２ａが上容器４０の上面開口部より上方位置に設けられており、冷蔵冷却器室１３で生成された冷気は、吹出口１２ａより吹き出して上容器４０の上面開口部から内部に導入される。
【００３３】
下容器４１は、平面形状が略矩形状の上面に開口する合成樹脂製の容器からなり、上面に貯蔵物を出し入れする開口部（取出口）が設けられ、下容器４１内部に貯蔵物を収納する収納空間が形成されている。この例では、下容器４１は、チルド室３ｃに収納された状態において、上面開口部が上方に設けられた上容器４０の底面によって閉塞され、下容器４１を前方へ引き出すことで下容器４１の上面開口部が開放され貯蔵物を出し入れできるようになる。
【００３４】
下容器４１の底面後部には、排気口４４が開口している。排気口４４は、仕切板２ｂの後端部に設けられた吸込口２ｃと対向している。
【００３５】
上容器４０及び下容器４１では、エバカバー１２に設けられた吹出口１２ａからチルド室３ｃへ吹き出した冷気が、上容器４０の上面開口部の後方から導入され、上容器４０内を冷却しながら前方へ向かって流れ、通気口４３を通って下容器４１に流れ込む。上容器４０から下容器４１に流れ込んだ冷気は、下容器４１内を冷却しながら後方へ向かって流れ、下容器４１の底面後部に設けられた排気口４４から外部へ排出され、排気口４４と対向する吸込口２ｃからリターンダクト３１に流れ込み冷蔵冷却器室１３に戻って再び冷蔵冷却器１０によって冷却される。
【００３６】
このようなチルド室３ｃには、撮像手段７０と、においセンサ８０が設けられている。具体的には、図２に示すように、撮像手段７０は、最下段の棚板３ｂの下面における幅方向中央部であって前後方向中央部より後方側に設けられている。撮像手段７０は、ＣＣＤカメラ等のカメラからなり、上容器４０に収納された収納物（食品）を上方から撮影する。撮像手段７０は、撮影した画像を検知情報として制御部２８へ出力する。
においセンサ８０は、チルド室３ｃにおける排気口４４の近傍やリターンダクト３１における吸込口２ｃの近傍など、チルド室３ｃに収納された上容器４０及び下容器４１の後方に設けられている。においセンサ８０は、チルド室３ｃ内のにおいの強さを検知するセンサであって、例えば、トリメチルアミンや硫化水素やメチルメルカプタン等の所定の臭気物質の濃度を検出する熱線型半導体センサ等のセンサからなる。においセンサ８０は、下容器４１内を後方へ向かって流れてきた冷気に含まれる臭気物質の濃度を検出し、チルド室３ｃ内のにおいの強さを示す情報（におい情報）を検知情報として制御部２８へ出力する。
【００３７】
（３）除菌装置５０の構成
除菌装置５０は、図２に示すように、冷蔵冷却器室１３における冷蔵冷却器１０より空気流れ方向の下流側に設けられ、冷蔵空間へ供給される空気を除菌する装置である。この除菌装置５０は、図３に示すように、フレーム５１と、このフレーム５１の上部と下部に配置された一対の発光装置５２と、これら一対の発光装置５２間に配置された２枚のフィルタ５３とを備えている。このうち、フィルタ５３は、空気の流通が可能で可視光応答型光触媒５４が担持されている。
【００３８】
可視光応答型光触媒５４とは、酸化チタン、酸化亜鉛、チタン酸ストロンチウム、酸化タングステンおよび炭化珪素からなる群より選択される少なくとも一種類に、バナジウム、クロム、マンガン、鉄、コバルト、ニッケルおよび銅からなる群より選択される少なくとも一種類の不純物元素をドーパントとして加えたものや、光触媒粒子の表面にハロゲン化白金化合物を含有させて光触媒としたものであって、１〜３６０ｎｍである紫外線の波長で触媒活性を示す通常の光触媒、例えば、最も一般的な光触媒である酸化チタンは２７０ｎｍの紫外線で活性化するのに対して、それより低エネルギーの３６０〜７６０ｎｍの可視光領域の光でも活性化する光触媒であり、例えば、窒素ドープによる酸化チタン可視光応答型光触媒や、白金担持酸化チタンなどが知られている。
【００３９】
上下一対の発光装置５２には、厚さ方向に貫通した貫通孔５５が複数個形成されていて、冷蔵冷却器室１３を流れる冷気が発光装置５２に設けられた貫通孔５５を通過する。そして、上側の発光装置５２の下面には複数個の光源５６が下向きに設けられ、また、下側の発光装置５２の上面にも複数個の光源５６が上向きに設けられている。これら各光源５６は、フィルタ５３に担持した可視光応答型光触媒５４を励起する波長帯の光を含む可視光を発光するもので、例えば、例えばＬＥＤ（発光ダイオード）により構成されている。このような一対に発光装置５２は、可視光応答型光触媒５４を担持したフィルタ５３の上下に間隔をあけつつ光源５６を設けた面をフィルタ５３に向けて配置されている。
【００４０】
除菌装置５０は、発光装置５２に設けられた光源５６を点灯させてフィルタ５３に担持された可視光応答型光触媒５４を活性化することで、冷蔵冷却器室１３を流れる空気に含まれた細菌などを分解除去する。これにより、冷蔵冷却器室１３から冷蔵室３、チルド室３ｃ及び野菜室４へ除菌された空気を供給することができる。
【００４１】
（４）冷蔵庫１の電気的構成
冷蔵庫本体２の上部に設けられた制御部２８には、図４に示すように、操作表示部７、扉センサ９、冷蔵ファン１１、冷凍ファン１６、圧縮機２１、切替弁２２、冷蔵温度センサ２３、チルド温度センサ２４、冷凍温度センサ２５、冷蔵冷却器センサ２６、冷凍冷却器センサ２７、除菌装置５０、撮像手段７０及びにおいセンサ８０等の冷蔵庫本体２の内側又は外側に設けられた電気部品が電気接続されている。そして、制御部２８は、各種センサから入力される信号や、使用者の操作によって操作表示部７から入力される信号などが入力されると、予めメモリに記憶された制御プログラムに基づいて、冷蔵ファン１１、冷凍ファン１６、圧縮機２１及び切替弁２２の動作を制御することで、圧縮機２１や冷蔵ファン１１及び冷凍ファン１６の運転、切替弁２２による冷蔵冷却器１０と冷凍冷却器１５への冷媒切換え、操作表示部７の表示など、冷蔵庫１の動作全般を制御する。
【００４２】
また、制御部２８は、チルド室３ｃの上容器４０内を撮像する撮像手段７０と、チルド室３ｃ内のにおいの強さを検知するにおいセンサ８０とともに、チルド室３ｃ内の食品の熟成度合いを判定する熟成判定手段を構成する。
【００４３】
（５）冷蔵庫１の冷却運転
冷蔵庫１は、庫内を冷却する冷却運転として、冷蔵温度センサ２３及び冷凍温度センサ２５によって検出された冷蔵空間の庫内温度及び冷凍空間の庫内温度に基づいて、冷蔵温度帯の冷蔵室３、チルド室３ｃ及び野菜室４を冷却する冷蔵冷却運転と、冷凍温度帯の製氷室、第１冷凍室５及び第２冷凍室６を冷却する冷凍冷却運転とを切り替えて実行する。
【００４４】
（５−１）冷蔵冷却運転
制御部２８は、冷蔵冷却開始条件を満たすと、圧縮機２１を所定周波数で駆動しつつ切替弁２２の冷蔵冷媒流路側の出口を開放して冷蔵冷却器１０に冷媒を流し、更に、ダンパ３０を開放して冷蔵冷却器室１３と冷蔵室３を連通した状態で冷蔵ファン１１を回転させて冷蔵冷却運転を開始する。冷蔵冷却開始条件の一例を挙げると、例えば、冷蔵温度センサ２３の検出温度が冷蔵空間に対して設定されているＯＮ温度Ｔｒ１（例えば、５℃）以上になる場合がある。
【００４５】
冷蔵冷却運転では、冷蔵冷却器１０に流れ込んだ低圧、低温の冷媒が気化することで冷蔵冷却器室１３で冷気を生成する。生成した冷気は、冷蔵ファン１１の送風作用により、背面ダクト１４を介して吹出口１４ａから冷蔵室３に供給されるとともに、エバカバー１２に設けられた吹出口１２ａからチルド室３ｃに供給される。
【００４６】
吹出口１４ａから冷蔵室３に供給された冷気は、冷蔵室３内を流れた後、一部が仕切板２ｂに設けられた吸込口２ｃからリターンダクト３１を通って冷蔵冷却器室１３に戻り、他の一部が仕切板２ｂに穿設された導入口２ｄを通って野菜室４へ流れ込む。野菜室４に流れ込んだ冷気は、野菜室４内を冷却した後、野菜室４の背面に設けられた吸込口４ｂからリターンダクト３１に流れ込み冷蔵冷却器室１３に戻る。
【００４７】
また、吹出口１２ａからチルド室３ｃへ供給された冷気は、上容器４０の上面開口部の後方から導入され、上容器４０内を冷却しながら前方へ向かって流れ、通気口４３を通って下容器４１に流れ込む。上容器４０から下容器４１に流れ込んだ冷気は、下容器４１内を冷却しながら後方へ向かって流れ、下容器４１の底面後部に設けられた排気口４４から外部へ排出され、排気口４４と対向する吸込口２ｃからリターンダクト３１に流れ込み冷蔵冷却器室１３に戻る。
【００４８】
冷蔵冷却器室１３に戻った冷気は、冷蔵冷却器１０によって冷却された後、再び冷蔵室３、チルド室３ｃ及び野菜室４へ送風される。
【００４９】
そして、冷蔵冷却運転の実行中に冷蔵冷却終了条件が満たされると、制御部２８は、冷蔵冷却運転を終了する。冷蔵冷却終了条件の一例を挙げると、例えば、（１）冷蔵温度センサ２３の検出温度が冷蔵空間に対して設定されているＯＦＦ温度Ｔｒ２（例えば、２℃）に達した時、（２）冷蔵冷却運転を開始してから最長冷却時間（例えば、４０分間）以上が経過した時、（３）冷凍温度センサ２５の検出温度が冷凍空間に対して設定されているＯＮ温度Ｔｆ１（例えば、−１８℃）以上になった時、のいずれかの場合がある。
【００５０】
冷蔵冷却運転を終了すると、制御部２８は、圧縮機２１を所定周波数で駆動しつつ切替弁２２の冷凍冷媒流路側の出口を開放して冷凍冷却器１５に冷媒を流し、さらに冷凍ファン１６を回転させて冷凍冷却運転を開始する。
【００５１】
（５−２）冷凍冷却運転
冷凍冷却運転では、冷凍冷却器１５に流れ込んだ低圧、低温の冷媒が気化することで冷凍冷却器室１９で冷気を生成する。生成された冷気は、冷凍ファン１６の送風作用により製氷室、第１冷凍室５及び第２冷凍室６内を循環し、所定の冷凍温度帯になるように製氷室、第１冷凍室５及び第２冷凍室６を冷却する。
【００５２】
製氷室、第１冷凍室５及び第２冷凍室６内を循環した冷気は、第２冷凍室６の背面に設けられた吸込口から冷凍冷却器室１９に戻り、冷凍冷却器１５により冷却され、その後、再び製氷室、第１冷凍室５及び第２冷凍室６へ送風される。
【００５３】
そして、冷凍冷却運転の実行中に冷凍冷却終了条件が満たされると、制御部２８は、冷凍冷却運転を終了する。冷凍冷却終了条件の一例を挙げると、例えば、（１）冷凍温度センサ２５の検出温度が所定温度（例えば、−２１℃）に達した時、（２）冷凍運転を開始してから最長冷却時間（例えば、９０分間）以上が経過した時、（３）冷蔵温度センサ２３の検出温度が冷蔵空間に対して設定されているＯＮ温度Ｔｒ１（例えば、５℃）以上になった時、のいずれかの場合がある。
【００５４】
（６）加湿運転
冷蔵庫１では、冷蔵冷却運転及び冷凍冷却運転を切り替えて順次実行する中で、所定の加湿開始条件を満たすと加湿運転を実行する。
【００５５】
加湿運転は、冷蔵冷却器１０に付着した霜を融解により除去するとともに、融解した霜の水分を冷蔵空間へ供給することで、冷蔵空間を加湿する運転である。
【００５６】
具体的には、制御部２８が、切替弁２２の冷蔵冷媒流路側の出口を閉塞したり、圧縮機２１を停止又は運転周波数を低減したりすることで、冷蔵冷却器１０への冷媒供給を停止又は低減ししつつ、冷蔵ファン１１を駆動する。
【００５７】
これらの制御の結果、０℃より高温の冷蔵空間の空気が冷蔵冷却器室１３内に導入され、霜の付着した冷蔵冷却器１０と熱交換した後、再び冷蔵空間に戻される。
【００５８】
これにより、冷蔵冷却器１０の温度を上昇させて冷蔵冷却器１０に付着した霜を融解するとともに、融解した霜の水分を気化して加湿空気を生成する。生成した加湿空気は、冷蔵ファン１１の送風作用によって冷蔵室３及びチルド室３ｃへ送風され、冷蔵室３及びチルド室３ｃや、冷蔵室３と連通する野菜室４を加湿する。
【００５９】
このような加湿運転において、制御部２８は、ダンパ３０の開度を０％（全閉）から１００％（全開）の範囲内で調整することで、冷蔵室３及びチルド室３ｃに供給する加湿空気量を制御したり、チルド室３ｃのみに加湿空気を供給する。
【００６０】
加湿開始条件の一例を挙げると、例えば、（１）冷蔵冷却器センサ２６の検出温度Ｔｓが所定温度（例えば、ー１０℃）以下である時間の積算時間が所定時間（例えば、１８０分間）以上に達した時、（２）扉センサ９が検出した冷蔵室扉３ａの開閉回数が所定回数（例えば、５０回）以上に達した時、（３）扉センサ９が検出した冷蔵室扉３ａの開放時間の積算時間が所定時間（例えば、２分間）以上に達した時、のいずれかの場合がある。
【００６１】
加湿運転を終了する条件の一例を挙げると、例えば、冷蔵冷却器センサ２６で検出される冷蔵冷却器１０の温度が所定温度（例えば、３℃）に達した時などがある。
【００６２】
（７）熟成モード
また、冷蔵庫１では、所定の熟成実施条件を満たすと、制御部２８は、上記した加湿運転中に熟成運転を行う熟成モードを設定し、チルド室３ｃに収納した食肉や果実などの食品を熟成させる運転を実行する。
【００６３】
熟成実施条件の一例を挙げると、例えば、使用者が操作表示部７から所定操作を行って熟成モードを指示した時がある。
【００６４】
熟成モードが設定されると制御部２８は、冷蔵冷却運転及び冷凍冷却運転を切り替えて順次実行する中で、加湿開始条件を満たすと熟成運転を実行する。
【００６５】
熟成運転を実行する場合、制御部２８は、加湿運転の実行中にダンパ３０の開度を所定値（例えば、開度を５０％以下）に制御して、加湿運転によって生成された加湿空気を、冷蔵室３よりチルド室３ｃに優先して供給する。つまり、制御部２８は、加湿運転の実行中にダンパ３０を全閉にする、あるいは、ダンパ３０の開度を小さく変更して、加湿運転によって生成された加湿空気を、冷蔵室３に比べてチルド室３ｃへ多く供給する。これにより、制御部２８は、チルド室３ｃの温度及び湿度を所定範囲に維持し、食肉や果実などの食品を熟成させる。
【００６６】
熟成運転の実行中におけるチルド室３ｃの温度及び湿度は、例えば、１℃以上３℃以下で湿度を６０％以上８０％以下、あるいは、食品が凍り始める温度（氷結点）以上０℃以下で湿度を７０％以上８５％以下とすることができる。
【００６７】
加湿運転が終了すると、制御部２８は、加湿運転時よりダンパ３０の開度を大きくした後（例えば、開度を５０％より大きくした後）、冷蔵冷却運転及び冷凍冷却運転を切り替えて順次実行する。ここで冷蔵冷却運転時を実行する場合、冷蔵冷却器室１３で生成された冷気を、チルド室３ｃに比べて冷蔵室３へ多く供給するようにダンパ３０の開度を設定してもよい。
【００６８】
そして、制御部２８は、冷蔵冷却運転、冷凍冷却運転及び加湿運転を繰り返し実行する中で、所定の熟成終了条件を満たすまで、加湿運転中に加湿空気をチルド室３ｃに優先して供給する熟成運転を実行し、チルド室３ｃに収納された食品の熟成を促す。
【００６９】
なお、熟成モード中は、冷蔵冷却器室１３に設けられた除菌装置５０を動作させ、冷蔵冷却器室１３を流れる加湿空気に含まれた細菌などを分解除去した後、チルド室３ｃへ供給することが好ましい。
【００７０】
（８）熟成モードの終了
制御部２８は、所定の熟成終了条件を満たすと、加湿運転時におけるダンパ３０の開度を大きく設定し（つまり、背面ダクト１４への流路の開度を大きく設定し）、加湿運転の実行中にチルド室３ｃへ供給する加湿空気量を熟成運転中に比べて減少させ、熟成運転を終了する。なお、熟成運転の終了時に設定するダンパ３０の開度は、冷蔵冷却運転時におけるダンパ３０の開度と同じ開度に設定してもよい。
【００７１】
熟成終了条件の一例を挙げると、（１）使用者が操作表示部７から所定操作を行って熟成モードの終了を指示した時、（２）制御部２８、撮像手段７０及びにおいセンサ８０から構成させる熟成判定手段において検出された熟成度合いが所定条件を満たした時などが挙げられる。
【００７２】
（９）熟成判定手段における熟成度合いの判定
制御部２８は、撮像手段７０が撮像した上容器４０に収納された収納物の画像と、においセンサ８０から出力されたにおい情報に基づいて、チルド室３ｃに収納された食品の熟成度合いを検出する。
【００７３】
（９−１）撮像手段７０に基づく食品の熟成度合いの検出
制御部２８は、食品の種類に対応して熟成度合いを検出する判定条件がメモリに記憶されている。制御部２８は、チルド室３ｃに収納されている食品の種類を特定し、特定した食品の種類に対応する判定条件をメモリから呼び出し、呼び出した条件に基づいて熟成度合いを判定する。この熟成度合いの判定にあたって、制御部２８は、使用者が操作表示部７等から食品の種類を入力する場合と、使用者が食品の種類を入力せず、撮像手段７０が取得した画像から食品の種類を特定する場合とで、判定条件が異なっており熟成度合いを検出する処理が異なる。
【００７４】
具体的には、制御部２８には、熟成モードの終了の目安となる色度の比率（ａ＊／ｂ＊）と色差（ΔＥ）が食品の種類に対応して記憶されている（図５参照）。
【００７５】
そして、制御部２８は、図６に示すような制御に基づいて熟成度合いを判定する。
【００７６】
すなわち、熟成開始条件を満たし熟成モードを開始すると制御部２８は、使用者の操作によって操作表示部７からチルド室３ｃに収納された食品の種類が入力されたか否か判断する（ステップＳ１）。なお、食品の種類の入力方法としては、所定の操作を行い操作表示部７に食品の名称やイラスト等を表示させ、その名称やイラストから使用者がチルド室３ｃに収納した食品を選択するなど、公知の方法によってチルド室３ｃに収納した食品の種類を入力することができる。そして、操作表示部７から入力があればステップＳ１０に進み第１判定モードを実行し、入力がなければステップＳ２０へ進み第２判定モードを実行する。
【００７７】
第１判定モードでは、制御部２８が所定時間（例えば、６時間）経過したか否か判断し（ステップＳ１０）、所定時間が経過するまでこのステップＳ１０を繰り返す（ステップＳ１０のＮｏ）。所定時間が経過するとステップＳ１１へ進み、上容器４０に収納された食品を撮像手段７０によって撮像し、食品の画像を取得する。その後、制御部２８は、ステップＳ１１で取得した画像から食品の色度ａ＊、ｂ＊と、色度の比率（ａ＊／ｂ＊）を検出する（ステップＳ１２）。
【００７８】
そして、制御部２８は、使用者が入力した食品の種類に対応する色度の比率（ａｓ＊／ｂｓ＊）をメモリから呼び出し、ステップＳ１２において検出した色度の比率（ａ＊／ｂ＊）と比較する（ステップＳ１３）。検出した色度の比率（ａ＊／ｂ＊）がメモリに記憶されている色度の比率（ａｓ＊／ｂｓ＊）より小さい場合（ステップＳ１３のＮｏ）、チルド室３ｃの食品の熟成が不十分であるとしてステップＳ１０に戻り、所定時間経過した後、再びチルド室３ｃの食品の画像を取得し（ステップＳ１１）、色度の比率（ａ＊／ｂ＊）と比率（ａｓ＊／ｂｓ＊）とを比較する（ステップＳ１２，Ｓ１３）。
【００７９】
そして、検出した色度の比率（ａ＊／ｂ＊）がメモリに記憶されている色度の比率（ａｓ＊／ｂｓ＊）以上になるまでステップＳ１０〜Ｓ１３を繰り返し、色度の比率（ａ＊／ｂ＊）が比率（ａｓ＊／ｂｓ＊）以上になると（ステップＳ１３のＹｅｓ）、チルド室３ｃの食品が熟成したと判断し、熟成モードを終了するとともに、チルド室３ｃの食品が熟成した旨を操作表示部７に表示する（ステップＳ２）。
【００８０】
第２判定モードでは、まず、上容器４０に収納された食品を撮像手段７０によって撮像し、その画像を取得する（ステップＳ２０）。そして、制御部２８は、取得した画像に写っている食品の種類を画像解析することにより、上容器４０に収納された食品の種類を検出するとともに、取得した画像から初期状態における食品の明度Ｌ０＊及び色度ａ０＊、ｂ０＊を検出する（ステップＳ２０）。なお、画像解析による食品の種類の検出方法としては、公知の検出方法を採用することができる。例えば、取得した画像から輪郭線や色彩などの所定の情報を抽出し、予めメモリに記憶されている食品データと比較することで、取得した画像に写っている食品の種類を特定することができる。
【００８１】
そして、制御部２８が所定時間（例えば、６時間）経過したか否か判断し（ステップＳ２２）、所定時間が経過するまでこのステップＳ２２を繰り返す（ステップＳ２２のＮｏ）。所定時間が経過するとステップＳ２３へ進み、上容器４０に収納された食品を撮像手段７０によって撮像し、食品の画像を取得する。その後、制御部２８は、ステップＳ２３で取得した画像から食品の明度Ｌ０＊及び色度ａ０＊、ｂ０＊と、初期状態における食品の色を基準とする色差ΔＥを検出する（ステップＳ２４）。
【００８２】
そして、制御部２８は、ステップＳ２４において検出した色差ΔＥとメモリに記憶されている色差ΔＥｓとを比較する（ステップＳ２５）。検出した色差ΔＥがメモリに記憶されている色差ΔＥｓより小さい場合（ステップＳ２５のＮｏ）、チルド室３ｃの食品の熟成が不十分であるとしてステップＳ２２に戻り、所定時間経過した後、再びチルド室３ｃの食品の画像を取得し（ステップＳ２３）、色差ΔＥと色差ΔＥｓとを比較する（ステップＳ２４，Ｓ２５）。
【００８３】
そして、検出した色差ΔＥがメモリに記憶されている色差ΔＥｓ以上になるまでステップＳ２２〜Ｓ２５を繰り返し、色差ΔＥが色差ΔＥｓ以上になると（ステップＳ２５のＹｅｓ）、チルド室３ｃの食品が熟成したと判断し、熟成モードを終了するとともに、チルド室３ｃの食品が熟成した旨を操作表示部７に表示して使用者に報知する（ステップＳ２）。
【００８４】
なお、本実施形態では、所定時間毎に撮像手段７０が食品の画像を取得する場合について説明したが、所定時間が経過し撮像手段７０が食品の画像を取得する時が到来しても、冷蔵室扉３ａの開放時は撮像手段７０が画像の取得を延長し、冷蔵室扉３ａが閉扉された後に画像を取得してもよい。このように冷蔵室扉３ａの開放時に撮像手段７０の画像取得を延長することで、撮像時の冷蔵室３内の照度が一定となり、精度良く食品の熟成度合いを判定することができる。
【００８５】
また、撮像手段７０が食品の画像を取得する場合、冷蔵室３内を照明する照明装置を点灯させて撮像手段７０が撮像を行っても良く、また照明装置を消灯させて撮像手段７０が撮像を行っても良いが、照明装置を消灯させて撮像することがより好ましい。このように照明装置の消灯時に撮像することで、撮像対象の食品に影が映り込むことがないため、精度良く食品の熟成度合いを検知することができる。
【００８６】
また、撮像手段７０によって食品の熟成度合いの判定する場合、冷蔵室扉３ａの開扉を扉センサ９が検知すると、制御部２８は、撮像手段７０によってチルド室３ｃを撮像して収納された食品の配置に変化があるか否か検知してもよい。
【００８７】
（９−２）においセンサ８０に基づく熟成度合いの検出
制御部２８には、所定のにおい成分毎に熟成度合いを検出する条件が記憶されている。ここでは、熟成度合いを判定する条件として、制御部２８には熟成モードの終了の目安となる閾値が記憶されており、例えば、トリメチルアミンの閾値は０．０００５ｐｐｍ、硫化水素の閾値は０．０２ｐｐｍ、メチルメルカプタンは０．００２ｐｐｍである。
【００８８】
制御部２８は、においセンサ８０から出力されたにおい情報が、予め記憶されている閾値以上である場合に、チルド室３ｃの食品が熟成したと判断し、熟成モードを終了するとともに、チルド室３ｃの食品が熟成した旨を操作表示部７に表示して使用者に報知する。
【００８９】
なお、においセンサ８０は、任意のタイミングでチルド室３ｃ内のにおい情報を検知することができるが、冷蔵室扉３ａの閉扉中や冷蔵ファン１１の停止中に、におい情報を検知することが好ましい。このようなタイミングでにおい情報を検知することで、チルド室３ｃ内の空気流れが少ない時に検知するため、精度良くにおい情報を検知することができる。
【００９０】
（１０）効果
本実施形態の冷蔵庫１では、冷蔵室３よりチルド室３ｃに優先して供給するため、チルド室３ｃに収納された食品を熟成に適した加湿空気に曝すことができ、食品を熟成させ旨味成分を増加させることができる。
【００９１】
しかも、熟成運転時にチルド室３ｃへ供給する加湿空気は、冷蔵冷却器１０に付着した霜を除去する加湿運転時に発生する空気であるため、熟成運転を実行するために冷凍サイクルの運転制御を新たに追加する必要がなく、専用の熟成保存庫等を用いることなく食品を熟成させることができる。
【００９２】
本実施形態では、熟成運転時に除菌装置５０で除菌した加湿空気をチルド室３ｃへ供給するため、チルド室３ｃに収納された食品に付着する菌や冷蔵空間を浮遊する菌を除菌することができ、熟成対象の食品の腐敗を抑えたり、冷蔵庫内における細菌の増殖を抑えることができる。
【００９３】
本実施形態では、食品の熟成度合いを検出する熟成判定手段として、撮像手段７０とにおいセンサ８０が設けられているため、撮像手段７０により精度良く食品の熟成度合いを検出しつつ、撮影できない位置に食品があってもにおいセンサ８０によって食品の熟成度合いを検出することできる。
【００９４】
また、本実施形態では、においセンサ８０が撮像手段７０よりチルド室３ｃにおける空気流れ方向の下流側（風下側）に設けられているため、チルド室３ｃにおいて空気の流れが淀みやすい位置ににおいセンサ８０を配置することができ、においセンサ８０においてにおい情報を精度良く検出することができる。
【００９５】
また、本実施形態では、使用者がチルド室３ｃに収納された食品の種類を入力する場合に第１判定モードを実行して食品の熟成度合いを判定し、撮像手段７０が撮像した画像からチルド室３ｃに収納された食品の種類を特定する場合に第２判定モードを実行して食品の熟成度合いを判定するため、第１判定モードでは、熟成対象の食品の種類を正確に特定することができるため、より食品に適した熟成度合いに仕上げることができ、第２判定モードでは、使用者による食品の種類を特定する必要が無く簡便に食品を熟成させることができ、使い勝手を向上することができる。
【００９６】
（変更例１）
本実施形態では、冷蔵冷却器室１３に設けた除菌装置５０によってチルド室３ｃに供給する空気を除菌する場合について説明したが、これに換えて、あるいはこれに加えて紫外線などのチルド室３ｃを除菌（殺菌）する光を照射する照射装置９０を設けてもよい。
【００９７】
図７に示すように、照射装置９０は、例えば、チルド室３ｃの背面（つまり、エバカバー１２の前面）に配置されている。照射装置９０は、例えば複数個の紫外線発生可能なＬＥＤ（発光ダイオード）９２を基板９４上にマトリックス状に配列したものである。
【００９８】
照射装置９０は、少なくとも熟成モードの実行している間、制御部２８からの駆動電力を受けることで継続してあるいは断続的に紫外線を発生して、チルド室３ｃの上容器４０及び下容器４１に収納された食品、上容器４０、下容器４１、及びチルド室３ｃの内壁部分に発生した紫外線を照射する。これにより、これらを除菌することができ、熟成対象の食品の腐敗を抑えたり、冷蔵庫内における細菌の増殖を抑えることができる。
【００９９】
なお、照射装置９０は、上記したようなチルド室３ｃの背面以外に、チルド室３ｃの天井壁を構成する最下段の棚板３ｂの下面など、任意の位置に配置してもよい。
【０１００】
また、照射装置９０は、撮像手段７０によってチルド室３ｃの食品の画像を取得する時に、紫外線を照射してもよく、また、紫外線の発生を停止してもよいが、撮像時の冷蔵室３内の照度が一定となり、精度良く食品の熟成度合いを判定することができる点で、撮像手段７０が撮像している間は紫外線の発生を停止することが好ましい。
【０１０１】
（変更例２）
本実施形態では、チルド室３ｃの食品の熟成度合いを判定する熟成判定手段として、撮像手段７０及びにおいセンサ８０を設ける場合について説明したが、本発明はこれに限定されない。例えば、撮像手段７０及びにおいセンサ８０のいずれか一方のみを用いてチルド室３ｃの熟成度合いを判定してもよく、あるいは、熟成モードの実行時間（つまり、熟成運転の実行可能な時間）からチルド室３ｃの熟成度合いを判定してもよい。
【０１０２】
熟成モードの実行時間からチルド室３ｃの熟成度合いを検知する場合、使用者が操作表示部７等から入力した時間を熟成モードの実行時間としたり、あるいは、使用者による操作表示部７等からの入力や撮像手段７０で取得した画像などによってチルド室３ｃに収納された食品の種類を特定し、特定した食品の種類に対応する熟成モードの実行時間を予め制御部２８が記憶するテーブルから呼び出し、呼び出した時間を熟成モードの実行時間としてもよい。
【０１０３】
このような変更例では、チルド室３ｃに収納された熟成度合いを簡便に判定することができる。
【０１０４】
（変更例３）
上記した本実施形態において食品の熟成を行う熟成空間（チルド室３ｃ）の底面に、食品を載置する金属トレイを設けてもよい。貯蔵空間に金属トレイを設けることで、熟成対象の食品を速やかに冷却することができ、食品の腐敗を抑えることができる。
【０１０５】
なお、金属トレイとしては、アルミニウムなどの良熱伝導性の金属で形成されたトレイを採用することができ、ダイヤモンド粒子を含有するフッ素樹脂で表面がコーティング（ダイヤモンドコーティング）されていたり、トレイに複数の貫通孔が設けられていたり、食品を載置する面に複数の突起が設けられていたりすることが好ましい。
【０１０６】
金属トレイの表面がダイヤモンドコーティングされていると熱伝導率が良好になり、食品の腐敗を抑えることができる。また、金属トレイに貫通孔や突起を設けることで、熟成モードを実行している間、金属トレイに載置された食品の下面を加湿空気に曝すことができ、食品の腐敗を抑えつつ、食品全体を均一の熟成させることができる。
【０１０７】
（変更例４）
本実施形態では、所定時間毎に撮像手段７０が食品の画像を取得して熟成度合いを検出する場合について説明したが、任意のタイミングで撮像手段７０が画像を取得して熟成度合いを検出してもよい。
【０１０８】
例えば、冷蔵庫１に接近した使用者を検知するセンサを設け、当該センサが使用者を検出した時に撮像手段７０が画像を取得したり、あるいは、においセンサ８０がにおい情報を検知して、食品の熟成度合いを判定してもよい。
【０１０９】
これにより、使用者が冷蔵室扉３ａを開けて庫内環境を変更する前に、撮像手段７０及びにおいセンサ８０が画像及びにおい情報を取得することができ、精度良く熟成度合いを検知することができる。
【０１１０】
なお、冷蔵庫１に接近する人の検知にあたり、冷蔵庫１に人感センサを設けてもよく、また、冷蔵室扉３ａ等の所定の扉の開放を補助する扉開放装置を備える冷蔵庫であれば、使用者が扉の開放を指示するための開扉センサによって冷蔵庫１に接近する人を検知してもよい。
【０１１１】
（変更例５）
本実施形態では、冷蔵室３に区画されたチルド室３ｃを熟成モードの実行中に食品の熟成を行う熟成空間とする場合について説明したが、野菜室４などのような冷蔵室３と別の扉により閉塞された貯蔵室を熟成空間としてもよい。
【０１１２】
また、本実施形態では、チルド室３ｃに設けた上下２段の上容器４０及び下容器４１の両方を、熟成モードの実行中に食品の熟成を行う熟成空間とする場合について説明したが、例えば、熟成運転に上容器４０のみに加湿空気を導入し、上容器４０のみを熟成空間としたり、あるいは、チルド室３ｃに上下に分割されていない１段の容器を配設し、当該容器内部を熟成空間としても良い。
【０１１３】
このようにチルド室３ｃにおいて空気流れ方向の上流側（風上側）に位置する上容器４０のみを熟成空間としたり、上下に分割されていない１段の容器内部を熟成空間とすることで、熟成に適した湿度及び温度の加湿空気を食品に吹き付けることができ、良好な熟成空間を形成することができる。
【０１１４】
（変更例６）
本実施形態では、熟成判定手段において検出されたチルド室３ｃの食品の熟成度合いが所定条件を満たすと、熟成モードを終了する場合について説明したが、例えば、食品が所定の熟成度合いに達したことを使用者に報知し、熟成モードの終了と熟成モードの延長とを使用者に選択させ、使用者から熟成モードの終了が指示されると熟成モードを終了し、延長が指示されると、更に熟成モードを継続してもよい。
【０１１５】
また、熟成判定手段において検出されたチルド室３ｃの食品の熟成度合いが所定条件を満たす前であっても、これまで実行した熟成時間や熟成度合いを、操作表示部７等に数値表示したりイラスト表示して、使用者に食品の熟成の進捗状況を知らせてもよい。
【０１１６】
（変更例７）
本実施形態では、撮像手段７０を最下段の棚板３ｂの下面における幅方向中央部であって前後方向中央部より後方側に設ける場合について説明したが、チルド室３ｃに収納された収納物を撮像できる位置であれば任意の位置に撮像手段７０を設けることができる。
【０１１７】
例えば、最下段の棚板３ｂの左側や右側など幅方向の任意の位置に撮像手段７０を設置したり、最下段の棚板３ｂの前側や前後方向中央部など前後方向の任意の位置に撮像手段７０を設置したりすることができる。
【０１１８】
また、撮像手段７０の設置位置につき、チルド室３ｃへ冷気が吹き出す吹出口１２ａと前後に重なる位置に撮像手段７０を設置してもよく、吹出口１２ａと左右方向及び上下方向の少なくとも一方へずらして撮像手段７０を設置してもよい。
【０１１９】
また、本実施形態では、図２に示すように、撮像手段７０を最下段の棚板３ｂの下面に設置する場合を示したが、上容器４０の底板や、チルド室３ｃの後壁を構成するエバカバー１２の前面や、チルド室３ｃの前壁を構成する蓋体４２等に上容器４０の内部へ向けて撮像手段７０を設置してもよい。
【０１２０】
（変更例８）
本実施形態では、においセンサ８０をチルド室３ｃの後方下部に設け、においセンサ８０が、後方へ向かって流れてきた冷気に含まれる臭気物質の濃度を検出する場合について説明したが、チルド室３ｃ内におけるにおいの強さを検出することができる位置であれば任意の位置ににおいセンサ８０を設けることができる。
【０１２１】
例えば、上容器４０内部や下容器４１内部の左側や右側や中央部など幅方向の任意の位置ににおいセンサ８０を設けたり、上容器４０内部や下容器４１内部の前側や後側や中央部など前後方向の任意の位置ににおいセンサ８０を設けることができる。また、においセンサ８０が、前方へ向かって流れてきた冷気や下方へ向かって流れてきた冷気に含まれる臭気物質の濃度を検出してもよい。
【０１２２】
また、においセンサ８０の設置位置につき、撮像手段７０と上下に重なる位置ににおいセンサ８０を設置してもよく、撮像手段７０と左右方向及び前後方向の少なくとも一方へずらしてにおいセンサ８０を設置してもよい。また、においセンサ８０をチルド室３ｃの上部や上下方向中央部に設置したり、においセンサ８０を撮像手段７０の上方や撮像手段７０と同じ高さ位置に設置してもよい。
【０１２３】
また、においセンサ８０の設置位置は、撮像手段７０より空気流れ方向の下流側に設定しても、撮像手段７０より空気流れ方向の上流側（風上側）に設定してもよいが、においセンサ８０によって精度良く臭気物質の濃度を検出することができる点で、撮像手段７０より空気流れ方向の下流側（風下側）に設定することが好ましい。
【０１２４】
（変更例９）
本実施形態では、撮像手段７０を最下段の棚板３ｂの下面に設け、撮像手段７０によって上容器４０内部を撮像し、においセンサ８０をチルド室３ｃの後方下部に設け、上容器４０及び下容器４１を流れた後の空気に対してにおいの強さを検出する場合について説明したが、本発明はこれに限定されない。
【０１２５】
例えば、上容器４０の底板下面など、下容器４０内部の撮像が可能な位置に撮像手段７０を設け、下容器４０の底板上面など、下容器４０内部ににおいセンサ８０を設けてもよい。かかる場合において、においセンサ８０より撮像手段７０を空気流れ方向上流側（つまり、においセンサ８０より撮像手段７０を前方に）に配置してもよく、また、撮像手段７０よりにおいセンサ８０を空気流れ方向上流側（つまり、撮像手段７０よりにおいセンサ８０を前方に）に配置してもよい。
【０１２６】
あるいはまた、最下段の棚板３ｂの下面など、上容器４０内部の撮像が可能な位置に撮像手段７０を設け、上容器４１の底板上面など、上容器４０内部ににおいセンサ８０を設けてもよい。かかる場合において、においセンサ８０より撮像手段７０を空気流れ方向上流側（つまり、においセンサ８０より撮像手段７０を後方に）に配置してもよく、また、撮像手段７０よりにおいセンサ８０を空気流れ方向上流側（つまり、撮像手段７０よりにおいセンサ８０を後方に）に配置してもよい。
【０１２７】
（変更例１０）
本実施形態では、冷蔵冷却器室１３において冷蔵冷却器１０より空気流れ方向下流側に除菌装置５０を設ける場合について説明したが、冷蔵空間の空気が流通する箇所であれば任意の位置に除菌装置５０を設けることができる。
【０１２８】
例えば、除菌装置５０より空気流れ方向下流側にチルド室３ｃを設け、更に下流側ににおいセンサ８０を設けたり、除菌装置５０より空気流れ方向上流側に冷蔵冷却器１０を設け、更に上流側にチルド室３ｃを設けたり、撮像手段７０より空気流れ方向下流側に除菌装置５０を設け、更に下流側ににおいセンサ８０を設けたりしてもよい。
【０１２９】
（その他の変更例）
以上、本発明の実施形態を説明したが、この実施形態は例として提示したものであり、発明の範囲を限定することを意図していない。これらの実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【０１３０】
１…冷蔵庫、２…冷蔵庫本体、３…冷蔵室、３ａ…冷蔵室扉、３ｃ…チルド室、７…操作表示部、９…扉センサ、１０…冷蔵冷却器、１１…冷蔵ファン、１２…エバカバー、１２ａ…吹出口、１３…冷蔵冷却器室、１４…背面ダクト、１４ａ…吹出口、２８…制御部、３０…ダンパ、４０…上容器、４１…下容器、５０…除菌装置、７０…撮像手段、８０…においセンサ
【図１】
2020169747.tif 000003
【図２】
2020169747.tif 000004
【図３】
2020169747.tif 000005
【図４】
2020169747.tif 000006
【図５】
2020169747.tif 000007
【図６】
2020169747.tif 000008
【図７】
2020169747.tif 000009